(57)【要約】 【課題】  本発明は通気性帽子に関するものであって、帽体内に流入する風量を簡単に調整することができる帽子を提供する。【手段】  本発明の帽子は、つばとクラウンから構成される帽子であって、帽子前部とその対向位置の各々に通気口を設け、前記帽子前部の対向位置に設けた通気口は、カットして分割したクラウンの各々のカット部を上下方向にずらして重ねて配置しつつ、当該カット部を相互に接続しないことにより形成し、前記帽子前部の対向位置に設けた通気口の大きさを自由に調整可能としたことを特徴とする。 【選択図】図１
2018096005.tif 000002
【特許請求の範囲】
【請求項１】
つばとクラウンから構成される帽子であって、帽子前部とその対向位置の各々に通気口を設け、前記帽子前部の対向位置に設けた通気口は、カットして分割したクラウンの各々のカット部を上下方向にずらして重ねて配置しつつ、当該カット部を相互に接続しないことにより形成し、前記帽子前部の対向位置に設けた通気口の大きさを自由に調整可能としたことを特徴とする帽子。
【請求項２】
前記クラウンのカット部に形状記憶素材を配置することによって、前記帽子前部の対向位置に設けた通気口の大きさを自由に調整可能とした請求項１記載の帽子。
【請求項３】
帽子後部に緩衝材を設けた請求項１または２記載の帽子。
【請求項４】
前記帽子前部に設けた通気口が、前記クラウンとすべりの間に隙間を設けることによって形成された請求項１〜３のいずれかに記載の帽子。
【請求項５】
前記すべりの前記隙間を設けた部分にサイズ調整機構を設けた請求項４記載の帽子。
【発明の詳細な説明】
【技術分野】
【０００１】
この発明は、通気性帽子に関するものである。
【背景技術】
【０００２】
特許文献１には、帽子をかぶりながら帽子のクラウン２０を開閉できる帽子が記載されている。本発明によれば、クラウン２０の前部をつば１０から分離できるので、クラウン２０の前部を開けた場合には、周囲の風を頭部に直接導入することが可能になる。しかしながら、帽子の骨組みとなる形状保持部材７０や、クラウン２０の開閉に必要なサスペンション部材５０および回転パーツ６０など、一般の帽子と比較して部品点数が多く、製作が困難で製造コストも高い。また、重量も重くなるため被り心地も良くない。
【０００３】
特許文献２には、帽子本体の頭頂部に開口部を設け、これを覆うメッシュのカバーとべた布のカバーを用意し、開口部と二枚のカバーの周縁にはファスナーを取付け、これらを介して帽子本体とカバーとが着脱自在となるようにした帽子が開示されている。本発明によれば、通気の機能と防雨の機能の二つが同時に実現されると言うが、実際上、通気の機能を実現するためにべた布のカバーを開くと、メッシュのカバーを介して雨水が帽子本体の内部に侵入する。また、防雨の機能を実現するためにべた布のカバーを閉じると、通気の機能が阻害される。さらに、カバーを開けるか閉めるかの二つの選択肢しかなく、天候や被着者の体調などに応じて開口部の大きさを変えて、帽子本体の内部に入る空気量を調整するとうこともできない。
【先行技術文献】
【特許文献】
【０００４】
【特許文献１】米国特許出願公開第２０１３／０２１２７７６号
【特許文献２】特開２００５−１９４６４４号公報
【発明の概要】
【発明が解決しようとする課題】
【０００５】
本発明は通気性帽子に関するものであって、帽子に当然要求される防雨機能と頭部保護機能を果たしつつ、帽体内に流入する風量を簡単に調整することができる帽子を提供する。
【課題を解決するための手段】
【０００６】
本発明の帽子は、つばとクラウンから構成される帽子であって、帽子前部とその対向位置の各々に通気口を設け、前記帽子前部の対向位置に設けた通気口は、カットして分割したクラウンの各々のカット部を上下方向にずらして重ねて配置しつつ、当該カット部を相互に接続しないことにより形成し、前記帽子前部の対向位置に設けた通気口の大きさを自由に調整可能としたことを特徴とする。
【０００７】
前記クラウンのカット部に形状記憶素材を配置することによって、前記帽子前部の対向位置に設けた通気口の大きさを自由に調整可能としたことが好ましい。  
【０００８】
帽子後部に緩衝材を設けたことが好ましい。
【０００９】
前記帽子前部に設けた通気口が、前記クラウンとすべりの間に隙間を設けることによって形成されたことが好ましい。
【００１０】
前記すべりの前記隙間を設けた部分にサイズ調整機構を設けたことが好ましい。
【発明の効果】
【００１１】
本発明に係る帽子は、帽子前部とその対向位置の各々に通気口を設けるため、自然対流または強制対流の作用により、帽子前部の通気口から空気が導入され、クラウン内部に導入された空気が帽子前部の対向位置に設けた通気口から排出されるため、クラウン内部に空気の流れが生まれて被着者の清涼感が改善される。また、帽子前部の対向位置に設けた通気口の大きさを自由に調整することができるため、天候や被着者の体調、帽子を被っている状況などに応じてクラウン内部を流れる空気量を適宜調整することが可能となる。
【図面の簡単な説明】
【００１２】
【図１】本発明の帽子の側面図（図１（１）、（２）、（３））である。
【図２】本発明の他の実施形態を示す帽子の側面図（図２（１））およびその底面図（図２（２））である。
【図３】本発明の別の実施形態を示す帽子の被着状態を示す側面図である。
【図４】本発明の別の実施形態を示す帽子の斜視図（図４（１））および本発明のさらに別の実施形態を示す帽子の後方斜視図（図４（２））である。
【図５】本発明の別の実施形態を示す帽子の内部を透視して描いた斜視図である。
【発明を実施するための形態】
【００１３】
以下、本発明に係る帽子の実施形態を図面に基づいて説明する。
図１（１）は、本発明の帽子の側面図であり、帽子を構成するつば３およびクラウン２が示されている。
【００１４】
帽子前部には、つば３の上部のクラウン２に通気口４ａが設けられている。本実施形態では通気口４ａにメッシュ地を用いたが、必ずしもメッシュ地を用いる必要はなく、前方からの空気Ｗをクラウン２内部に導入することができる形態を採っていれば良い。通気口４ａの大きさに格別制限はないが、通気口４ａの大きさが大きいほど、前方からの空気Ｗをクラウン２内部に導入しやすく、クラウン２内部に導入される空気量も多くなる。ただし、通気口４ａの大きさを大きくするほど、太陽光などの光、埃などの異物、雨水などがクラウン２内部に入り込む余地も広がるため、被着者の快適性を考慮して通気口４ａの大きさを適宜決定する必要がある。
【００１５】
クラウン２はカットして分割した生地を合わせることにより形成され、当該カットして分割したクラウン２ａとクラウン２ｂの各々のカット部５ａ、５ｂを上下方向にずらして重ねて配置し、当該カット部５ａと５ｂを接続しないことにより、帽子前部の対向位置に通気口４ｂを設けている。本実施形態では、カット部５ａを上方に、カット部５ｂを下方に配置したが、その逆であっても良い。ただし、カット部５ａを上方に配置した方が、クラウン２内部に導入された空気がクラウン２ａに沿って通気口４ｂから排出されやすくなるので、より通風効果が高まる。
【００１６】
クラウン２の分割方法に格別の制限はないが、通気口４ｂの位置や数、帽子の製作容易性およびデザイン性を考慮してその分割方法を適宜決定すれば良い。
カットして分割した生地はそれぞれを縫製により繋ぎ合わせることが好ましいが、その方法に格別の制限はなく、縫製によらず接着で貼り合わせてクラウン２を形成しても良い。
【００１７】
通気口４ｂは帽子前部の対向位置であれば、その位置に格別の制限はないが、自然対流を生みやすいという観点から、クラウン２の頂部であることが好ましい。つまり、暖かい空気は上に上り、冷たい空気は下にたまるという性質を利用し、低い位置から高い位置へ風を通すようにすると通風効果が上がる。したがって、空気Ｗを導入する通気口４ａよりも高い位置に通気口４ｂを配置することが好ましい。
【００１８】
クラウン２ａにはカット部５ａにパイピングが施されており、図示しないが、パイピングの内部には形状記憶素材が配置されている。したがって、図１（１）の状態から図１（２）ないし図１（３）に示されるように、パイピングの内部に配置された形状記憶素材の作用によって、通気口４ｂの大きさを自由に調整することが可能となる。より具体的には、パイピングを上下方向に移動させることによって、極めて容易に通気口４ｂの大きさを調整することができるようになり、通気口４ｂの大きさを調整することによって、クラウン２内部を流れる空気量を適宜調整することが可能になる。
【００１９】
前記の形状記憶素材には形状記憶テープなどの軽量で形状を変えやすいものを用いることが好ましいが、針金や形状記憶ポリマーなど、その素材に格別の制限はない。形状記憶素材はクラウン２のカット部５ａに配置していれば良く、本実施形態のようにパイピングの内部に配置しても良いし、クラウン２の表面に貼りつける方法であっても良い。また、形状記憶素材は前記カット部５ａと５ｂの両方に配置しても良いし、いずれか一方のみに配置しても良い。
【００２０】
本実施形態では、通気口４ｂの大きさを自由に調整可能とするために、形状記憶素材を用いたが、必ずしもこのような形状記憶素材を用いる必要はない。クラウン２のカット部５ａ、５ｂにファスナーやボタンを用いて、通気口４ｂの大きさを段階的に調整できるようにしても良い。
【００２１】
本発明によれば、通気口４ｂの大きさを自由に調整することができるので、天候や被着者の体調、帽子を被っている状況に応じてクラウン内部を流れる空気量を適宜調整することが可能となる。例えば、被着者がランニング中に強めの風をクラウン２の内部に流したい場合には、図１（３）に示すように通気口４ｂの大きさを比較的大きく設定しておき、ランニング終了後の休憩中に緩やかな風をクラウン２の内部に流したい場合には、図１（１）または（２）に示すように通気口４ｂの大きさを比較的小さく設定すれば良い。
【００２２】
以上、説明したとおり、通気性を確保するためには、空気Ｗの入口、その通り道、および出口をつくることが重要であるが、本発明は、空気Ｗの入り口としての機能を果たす通気口４ａ、その通り道としての機能を果たすクラウン２の内側、および空気Ｗの出口としての機能を果たす通気口４ｂを備えており、特に空気Ｗの出口としての通気口４ｂの大きさを自由に調整可能であるため、効果的かつ容易にクラウン２内部を通る空気量を調整することができる。
【００２３】
また、本発明の帽子は、通気口４ｂの大きさを変えることでクラウン２内部を通る空気量を調整するものであるため、帽子前部の通気口４ａの大きさを可能な限り小さくして、太陽光や異物、雨水などが通気口４ａからクラウン２内部に侵入するのを防ぎつつ、通気口４ｂの大きさを変えることで十分な通気性を確保することが可能となる。
【００２４】
続いて、本発明の他の実施形態について、図２を用いて説明する。
図２には本実施形態における帽子が示されており、図２（１）はその側面図、図２（２）はその底面図である。
【００２５】
本実施形態では、帽子前部におけるクラウン２内部に通気口４ａを設けている。より具体的には、図２（２）に示すように、クラウン２とすべり６との間に隙間を設けることによって通気口４ａを形成している。
【００２６】
したがって、図２（１）に示すように、クラウン２の外観に通気口４ａは一切現れないのでデザイン性に優れた帽子の製作が可能となる。また、帽子前部から太陽光などの光、埃などの異物、雨水などが侵入するのを防ぐことができる。本実施形態では、クラウン２とすべり６の間にメッシュ地を配置したが、必ずしもメッシュ地を配置する必要はない。
【００２７】
次に、本発明の別の実施形態について、図３を用いて説明する。
図３は本実施形態を示す帽子の被着状態を示す側面図である。
【００２８】
本実施形態では、帽子前部の対向位置を限りなくクラウン２の後部に設定している。したがって、図３に示すとおり、帽子の前後を逆にして被った場合に通気口４ｂが被着者の額の前方に位置し、通気口４ｂから空気Ｗがクラウン２内部に導入され、被着者の後方に位置する通気口４ａから空気Ｗが排出される。通常どおり、帽子の前方を被着者の前方に合わせて被った場合には、通気口４ａから空気Ｗがクラウン２内部に導入され、通気口４ｂから空気Ｗが排出される。
【００２９】
本実施形態の帽子によれば、例えば、日差しが比較的強いときには通常の被り方をして、日差しが比較的弱いときには帽子の前後を入れ替えて被るといった場合であっても、通気性を確保するという本発明の機能を損なわない。また、通気口４ｂの大きさを調整することにより、環境条件や被着者の体調に応じて空気Ｗのクラウン２内部への導入量を調整することができる。
【００３０】
続いて、本発明の別の実施形態について、図４（１）を用いて説明する。
図４（１）は本実施形態を示す帽子の斜視図である。
【００３１】
本実施形態では、帽子前部の対向位置をクラウン２の両側部に設定している。つまり、クラウンを両側部前方の２ａ、２ａ、両側部後方の２ｂ、２ｂ、中央部の２ｃと、クラウン２を全部で５つに分割した上で、クラウンのカット部５ａ、５ａとカット部５ｂ、５ｂを各々上下方向にずらして重ねて配置しつつ、当該カット部５ａ、５ａおよびカット部５ｂ、５ｂとを相互に接続しないことにより、通気口４ｂ、４ｂを形成している。本実施形態の帽子のようにクラウン２の分割方法を工夫することで、通気口４ｂの位置や数を自在に変えることができる。
【００３２】
続いて、本発明のさらに別の実施形態について、図４（２）を用いて説明する。
図４（２）は本実施形態を示す帽子の後方斜視図である。
【００３３】
本実施形態では、クラウンを中心からほぼ均等に６方向にカットして分割するいわゆる六方型の帽子について、その後面のカット部に沿って通気口４ｂ、４ｂを設けている。六方型の帽子は、野球帽やゴルフ帽に多く見られる型であり、本実施形態ではそのカット面をそのまま利用して通気口４ｂ、４ｂを設けるので製作が非常に容易である。
【００３４】
次に、本発明のさらに別の実施形態について、図５を用いて説明する。
図５は本実施形態を示す帽子の内部を透視して描いた斜視図である。
【００３５】
本実施形態では、図２の実施形態と同様にクラウン２とすべり６の間に隙間を設けることによって帽子前部に通気口４ａ設けているが、すべり６の隙間を設けた部分にサイズ調整機構７を設けた点、および帽子後部に緩衝材８を設けた点で図２の実施形態とは異なる。本実施形態のサイズ調整機構７にはアメリカンホックを用いたが、面ファスナーやスライドアジャスターなどサイズ調整が可能な機構であればいずれのサイズ調整機構を採用しても良い。帽子後部に設ける緩衝材８については、発泡スチロールやゲル化素材などの外部からの衝撃を和らげる機能を持つ資材を用いる。本実施形態では、帽子後部にサイズ調整機構を設ける代わりに帽子前部にサイズ調整機構を設け、かつ、帽子後部には緩衝材を設けたため、帽子後部に外部から衝撃を受けた場合の頭部へのダメージを軽減することができる。特に、子供たちがサッカー競技において熱中症対策のために帽子を被る必要があるが、つばがヘディング等の邪魔にならないように本実施形態の帽子を後ろ前逆に被れば、ヘディング等による衝撃から前頭部を適切に保護することが可能になる。
【産業上の利用可能性】
【００３６】
以上、通気性に関する帽子の実施形態について説明したが、本発明に係る帽子は、キャップだけではなく、ハンチング、キャスケットなど、幅広く適用することができる。
【符号の説明】
【００３７】
２      クラウン
３      つば
４      通気口
５      カット部
６      すべり
７      サイズ調整機構
８      緩衝材
【図１】
2018096005.tif 000003
【図２】
2018096005.tif 000004
【図３】
2018096005.tif 000005
【図４】
2018096005.tif 000006
【図５】
2018096005.tif 000007
【手続補正書】
【提出日】平成29年4月7日(2017.4.7)
【手続補正１】
【補正対象書類名】特許請求の範囲
【補正対象項目名】全文
【補正方法】変更
【補正の内容】
【特許請求の範囲】
【請求項１】
つばとクラウンから構成される帽子であって、帽子前部とその対向位置の各々に通気口を設け、前記帽子前部の対向位置に設けた通気口は、カットして分割したクラウンの各々のカット部を上下方向にずらして重ね、前記帽子前部の通気口よりも上方に配置しつつ、前記カット部を相互に接続しないことにより形成し、前記帽子前部の対向位置に設けた通気口は帽子の上方から後方にかけた範囲のうちのいずれかに向け、その大きさを自由に調整可能としたことを特徴とする帽子。
【請求項２】
前記クラウンのカット部に形状記憶素材を配置することによって、前記帽子前部の対向位置に設けた通気口の大きさを自由に調整可能とした請求項１記載の帽子。
【請求項３】
帽子後部に緩衝材を設けた請求項１または２記載の帽子。
【請求項４】
前記帽子前部に設けた通気口が、前記クラウンとすべりの間に隙間を設けることによって形成された請求項１〜３のいずれかに記載の帽子。
【請求項５】
前記すべりの前記隙間を設けた部分にサイズ調整機構を設けた請求項４記載の帽子。
【手続補正２】
【補正対象書類名】明細書
【補正対象項目名】０００６
【補正方法】変更
【補正の内容】
【０００６】
本発明の帽子は、つばとクラウンから構成される帽子であって、帽子前部とその対向位置の各々に通気口を設け、前記帽子前部の対向位置に設けた通気口は、カットして分割したクラウンの各々のカット部を上下方向にずらして重ね、前記帽子前部の通気口よりも上方に配置しつつ、前記カット部を相互に接続しないことにより形成し、前記帽子前部の対向位置に設けた通気口は帽子の上方から後方にかけた範囲のうちのいずれかに向け、その大きさを自由に調整可能としたことを特徴とする。
【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
つばとクラウンから構成される帽子であって、帽子前部とその対向位置の各々に通気口を設け、前記帽子前部の対向位置に設けた通気口は、前後方向にカットして分割したクラウンの各々のカット部について、前方のカット部を上方に、後方のカット部を下方にずらして重ね、前記帽子前部の通気口よりも上方に、かつ、クラウンの頂部に配置しつつ、前記カット部を相互に接続しないことにより形成し、前記帽子前部の対向位置に設けた通気口は帽子の上方かつ後方に向け、その大きさを自由に調整可能としたことを特徴とする帽子。
【請求項２】
前記クラウンのカット部に形状記憶素材を配置することによって、前記帽子前部の対向位置に設けた通気口の大きさを自由に調整可能とした請求項１記載の帽子。
【請求項３】
帽子後部に緩衝材を設けた請求項１または２記載の帽子。
【請求項４】
前記帽子前部に設けた通気口が、前記クラウンとすべりの間に隙間を設けることによって形成された請求項１〜３のいずれかに記載の帽子。
【請求項５】
前記すべりの前記隙間を設けた部分にサイズ調整機構を設けた請求項４記載の帽子。
【手続補正２】
【補正対象書類名】明細書
【補正対象項目名】０００６
【補正方法】変更
【補正の内容】
【０００６】
本発明の帽子は、つばとクラウンから構成される帽子であって、帽子前部とその対向位置の各々に通気口を設け、前記帽子前部の対向位置に設けた通気口は、前後方向にカットして分割したクラウンの各々のカット部について、前方のカット部を上方に、後方のカット部を下方にずらして重ね、前記帽子前部の通気口よりも上方に、かつ、クラウンの頂部に配置しつつ、前記カット部を相互に接続しないことにより形成し、前記帽子前部の対向位置に設けた通気口は帽子の上方かつ後方に向け、その大きさを自由に調整可能としたことを特徴とする。